(57)【要約】【課題】  例えば箸と皿の保持などにより手が塞がっている状態で、飲料容器を机などに置かず保持できる手段を提供する。【解決手段】  略柱体の容器の開口部及び底部を上部掛止片Ａ１及び下部掛止片Ａ２によって咬持し起立支持させる保持具であって、該容器の開口部辺縁に掛止させる上部掛止片Ａ１と、該容器の底部に立設された高台に掛止させる下部掛止片Ａ２と、該上下掛止片Ａ１及びＡ２を対向させて該容器を咬持させるように略一定距離で配持する連結部Ａ３と、該連結部Ａ３に配設された接続部Ａ４と、該接続部Ａ４に接続して該容器を吊持または掛止させる保持部Ａ５とを備えている。【選択図】図１
2019172365.tif 000002
【特許請求の範囲】
【請求項１】
上端が開口する有底の容器を起立支持させる保持具であって、
該容器は略柱体の側面を形成する側部と、
該側部の下端に接続して底面を形成する底部と、
該底部に立設された略高台と、
該側部の上端を成す開口部辺縁とを具備する容器であり、
該保持具は、
該開口部辺縁に掛止させる１つ以上の上部掛止片と、
該略高台に掛止させる１つ以上の下部掛止片と、
該上下掛止片を対向させて該容器を咬持させるように略一定距離で配持する可撓性の１つ以上の連結部と、
該連結部に配設された接続部と、
該接続部に接続して該容器を吊持または掛止させる保持部とからなる、容器保持具。
【請求項２】
該上下掛止片と該連結部と該保持部の少なくとも２つ以上が略板状部材、または略平面上で屈曲させた線状部材によって一体に成形されていることを特徴とする、請求項１記載の容器保持具。
【発明の詳細な説明】
【技術分野】
【０００１】  本発明は、容器を起立支持させる保持具に関するものである。
【背景技術】
【０００２】  従来、酒の試飲会や立食パーティー、バーベキューなどの催事においては、飲料が入った猪口やコップを上に向けて片手に持ち、もう一方の手で料理を載せた皿を持つ機会が多い。しかし、箸やフォークなどで皿の料理を食するためには一時的に手からコップを離したいが、コップの置き場に困る場合がある。そこでコップを首や手首などに吊り下げられる保持具が考案されている。従来のコップを起立支持させる保持具には、次のようなものがあった。【０００３】  皿の縁に装着してグラスを保持するもの。例えば特許文献１が挙げられる。【０００４】  上部が開口し、飲料容器の底面または側面を保持する容器保持部を首に掛けるもの。
例えば特許文献２が挙げられる。
【先行技術文献】
【０００５】
【特許文献１】特開平６−２２８３８
【特許文献２】特開２０１５−６７３６６（Ｐ２０１５−６７３６６Ａ）
【発明の概要】
【発明が解決しようとする課題】
【０００６】  しかし、上記の特許文献１で開示されたグラスホルダーでは片手で皿とグラスを持つことになるため、長時間使用する際には腕に多くの負担をかける。また、立体成形の保持具では使用前後に場所を取り、保管や廃棄に手間が掛かる。【０００７】  また、上記の特許文献２で開示された容器保持具では、使用前後に組み立て分解する手間や時間を必要とし、組み立てたまま保管するには特許文献１のグラスホルダーと同様保管場所を要する。【０００８】  また、いずれの容器保持具も、複雑な製造工程と多くの部材を必要とするという問題があった。【０００９】  ところで、上記の催事において利用される飲料容器は多様な形状を有してはいるが、猪口、樹脂性または紙製のコップ、金属缶、ＰＥＴボトルが大半を占めている。それらのうち少なくとも利き猪口や金属の飲料缶については、製造流通や税制などの観点から、底部に略高台を備え、容器の寸法が規格化または準規格化されていることに着目した。【００１０】  例えば広く流通しているビール缶は３５０ミリリットル及び５００ミリリットルが大半であり、口径及び高さはＪＩＳ  １５７１食品缶詰用金属缶に規定されている。また、店頭や家庭で縦に積み重ねて陳列されたりする利便性や製造装置の合理性などにより、高台様の突起部及び開口部から上蓋までの深さについても、製造者に依らず類似の寸法が採用されている。【００１１】  また、日本酒用の利き猪口は同一の意匠で２勺及び２．５勺、３勺、５勺、８勺、１合が品揃えされていることが多く、異なる製造者であっても口径や高さの差異は概ね１ミリメートル程度に収まっている。
【課題を解決するための手段】
【００１２】  本発明は、上記の課題を解決するために開発されたもので、請求項１記載の発明は、
上端が開口する有底の容器の開口部辺縁に掛止させる上部掛止片と、
該容器の下端に接続する底部に係る略高台に掛止させる下部掛止片と、
該上下掛止片を対向させて略一定距離で配持する連結部と、
該連結部に配設された接続部と、
該接続部に接続して該容器を吊持または掛止させる保持部とから成り、
該上下掛止片を其々該開口部辺縁及び該高台に掛止することによって、
該容器を該連結部の弾性力によって咬持し、
該容器を人体や器や什器などに対し略一定の傾斜角で吊持または掛止させることを特徴とする。【００１３】  このとき、該連結部は弾性体のみで成形されてもよく、また該上下掛止片の双方またはいずれか一方と、該連結部との接合部や該連結部の一部が弾性体であってもよい。【００１４】  また、該保持部は該連結部に略一体に凸設した掛止片としてもよい。【００１５】  なお、該容器の該開口部辺縁は、コップのように開放されていてもよく、
また飲料缶のように該開口部辺縁の内側を塞ぐように略固定された蓋部材と、
該蓋部材に形成された吐出口とを具備していてもよい。【００１６】  請求項２記載の発明は請求項１記載の発明の一つの実施形態であるが、該上下掛止片と該連結部と該保持部との少なくとも２つ以上が略平面上に一体に成形されていることを特徴とする。【００１７】  このとき、１枚の板状部材を裁断し、該上下掛止片と該連結部と該保持部との全てを板状に一体成形してもよい。【００１８】  また、１本の線状部材を屈曲させ、該上下掛止片と該連結部と該保持部との全てを平面上に一体に成形してもよい。
【発明の効果】
【００１９】  請求項１記載の発明は、底部に係る高台と、開口部辺縁とを具備する容器の保持具に関するものであり、開口部辺縁及び高台に掛止片を掛止するのみで容器を咬持できるため、構造が単純で着脱も容易である。【００２０】  該連結部と該保持部との接続部を該上下掛止片の間となるように配設することにより、該保持部を吊持または掛止させると該容器から該上下掛止片に掛かる重力により該連結部が撓屈し、該上下掛止片による該容器の咬持力を増すため、概容器の脱落を防ぐことができる。【００２１】  該保持部として紐状体（ストラップ）を具備すれば、首や手などに吊持し、必要に応じて両手を自由にすることができる。【００２２】  また、該保持部を該連結部に凸設した掛止片とすれば、什器や衣類など、例えば食器棚やポケットに掛止させることができる。【００２３】  また、該容器を保持させる方向は、開口部が重力と略反対方向となるよう保持ことで液体の流出を防ぐものであるが、該開口部や該吐出口を略重力方向に保持させることにより、液体を少量ずつ抽出する目的に使用することもでき、容器を重力方向に開口する方向に咬持して洗浄した容器の乾燥及び保管に用いることもできる。【００２４】  請求項２記載の発明は、上下掛止片と連結部と保持部との少なくとも２つ以上が略板状に一体に成形されることにより、安価な板状部材を少ない工程で製造することができるとともに、保管容積を節約できる。【００２５】  特に、１枚の板状部材を裁断し該上下掛止片と該連結部と該保持部との全てを板状に一体成形することにより、組み立て工程を省略してより省資源で安価に製造でき、積層して低容積の保管庫などに収納できるようにもなる。
例えば抜き型による打ち抜きにより大量生産が容易となる。また、レーザー加工機による裁断により少量多品種生産も容易となり、特定の飲食物提供施設に常備する特定の容器に適合した容器保持具を簡便安価に製造することもできるようになる。【００２６】  また、１本の線状部材を屈曲させ、該上下掛止片と該連結部と該保持部との全てを平面上に一体成形することによっても、組み立て工程を省略してより省資源で安価に製造でき、積層して低容積の保管庫などに収納できるようにもなる。
【図面の簡単な説明】
【００２７】
【図１】本発明の実施例１に係る容器保持具の平面図。
【図２】図１に示した実施形態で容器保持具に、開口部辺縁まで開放した容器の一例として利き猪口を装着する過程を示す説明図。（ａ）上部掛止片のみ掛止した場面の斜視図。（ｂ）下部掛止片を装着のため連結部を撓屈させた場面の横断面図。
【図３】図１に示した実施形態で、上下掛止片が利き猪口に装着され、保持部によって掛止された場面の説明図。（ａ）下方からの斜視図。（ｂ）横断面図。
【図４】図１に示した実施形態で、上部掛止片を複数具備し異なる寸法の容器保持に使用できる容器保持具の平面図。
【図５】本発明の実施例２に係る容器保持具の平面図。
【図６】図５に示した実施形態で容器保持具に、蓋部材に吐出口を貫設した容器の一例として飲料缶を装着する過程を示す説明図。（ａ）上部掛止片のみ掛止した場面の斜視図。（ｂ）下部掛止片を装着のため連結部を撓屈させた場面の横断面図。
【図７】図５に示した実施形態で、上下掛止片が飲料缶に装着され、保持部によって吊持された場面の説明図。（ａ）下方からの斜視図。（ｂ）横断面図。
【発明を実施するための最良の形態】
【実施例１】
【００２８】  図１は、本発明における好ましい実施形態の１つを示す平面図である。
上端が開口する有底の容器Ｂの開口部辺縁Ｂ１に掛止させる上部掛止片Ａ１と、
該容器Ｂの下端に接続する底部Ｂ２に係る略高台Ｂ３に掛止させる下部掛止片Ａ２と、
該上下掛止片Ａ１及びＡ２を対向させて略一定距離で配持する１対の連結部Ａ３と、
該連結部Ａ３から延設された接続部Ａ４と、
該接続部Ａ４から延設された掛止片状の保持部Ａ５を１枚の板状弾性体から断裁成形したものであって、
該上下掛止片Ａ１及びＡ２を其々容器Ｂの該開口部辺縁Ｂ１及び該高台Ｂ２に掛止し、
該容器Ｂを該連結部Ａ３の弾性力によって咬持し、
掛止片状の保持部Ａ５を衣服のポケットＤ１などに掛止することによって、
該容器Ｂを人体に対し略一定の傾斜角で掛止させることを特徴とする。【００２９】  図２は、図１に示した実施形態で、開口部辺縁が開放した容器の一例として利き猪口Ｂを容器保持具Ａに装着する過程を示す説明図である。【００３０】  図２（ａ）は、該利き猪口Ｂの開口部辺縁Ｂ１に上部掛止片Ａ１のみ掛止した場面の斜視図であり、連結部Ａ３が撓屈しない状態では上下掛止片Ａ１及びＡ２の最短距離が該利き猪口Ｂの開口部辺縁Ｂ１と高台Ｂ３との距離より狭いため、下部掛止片Ａ２を高台Ｂ３に掛止させることができない。【００３１】  図２（ｂ）は、該連結部Ａ３を手指等で加圧して撓屈させた場面の横断面図であり、上下掛止片Ａ１及びＡ２が離開して最短距離が該利き猪口Ｂの開口部辺縁Ｂ１と高台Ｂ３との距離より広くなったため、下部掛止片Ａ２を高台Ｂ３の内側に移動させることができる。
なお、横断面には現れない該連結部Ａ３及び接続部Ａ４を灰色に着色してある。【００３２】  図３は、図１に示した実施形態で、容器保持具Ａが掛止片状の保持部Ａ５によって胸ポケットＤ１に掛止された場面を表し、図３（ａ）は斜め下方からの斜視図、図３（ｂ）は横断面図である。【００３３】  該利き猪口Ｂが容器保持具Ａに咬持されて重力方向即ち図３（ｂ）の下方に掛止されている。図２（ｂ）の状態から該連結部Ａ３への加圧を除去し、該連結部Ａ３の一部または全部の弾性力により撓屈が緩和されたことにより、上下掛止片Ａ１及びＡ２が接近して最短距離が該利き猪口Ｂの開口部辺縁Ｂ１と高台Ｂ３との距離より狭くなり、下部掛止片Ａ２が高台Ｂ３の内側に掛止する。
なお、図３（ａ）においてはポケットＤ１を省略している。また、図３（ｂ）においては断面には現れない該連結部Ａ３及び接続部Ａ４を灰色に着色してある。【００３４】  該保持部Ａ５を掛止させると該利き猪口Ｂに掛かる重力により該連結部Ａ３が該上下掛止片Ａ１及びＡ２をより接近させる方向に撓屈するように、該接続部Ａ４を該連結部Ａ３の、該上下掛止片Ａ１及びＡ２の間から延設してあるため、該上下掛止片Ａ１及びＡ２による該利き猪口Ｂの咬持力が増し、該利き猪口Ｂの脱落を防ぐように作用する。【００３５】  なお、容器保持具Ａは全て弾性体で成形されていてもよく、また剛性体との複合であってもよい。【００３６】また、該保持部Ａ５を容器保持具掛止片とするのでなく、柔軟な紐状体（ストラップ）としてもよい。このとき、紐状体の該保持部Ａ５は該連結部Ａ３または接続部Ａ４に貫設した保持部接続孔Ａ６に直接貫挿してもよく、また接続部品を介していても良い。
また、該保持部Ａ５として、掛止片の他に該連結部Ａ３の一部に柔軟な紐状体を直接結索してもよい。【００３７】また、板状部材の一部に文字や模様などの意匠を施してもよく、特に該接続部Ａ４など該利き猪口Ｂを装着している状態でも正面から視認が容易な位置に商品名やイベント名などを施せば使用中の宣伝効果が期待できる。
図１は、掛止片状の保持部Ａ５に星形の飾りを施したものであり、これを容器保持具の掛止に使用した場合にはポケットに隠れて見えないが、保持部接続孔Ａ６に紐状体を貫挿し、首から胸の前に吊持して使用した場合には該接続部Ａ４の一部として正面から容易に視認できるようになる。【００３８】  更に、実施例１の派生として、１つの容器保持具で複数の寸法の容器を咬持可能とするため、それぞれの容器寸法に適した距離で２対以上の上下掛止片を配置することもでき、複数の上下掛止片が複数の対向する掛止片と対を成すように組み合わせて使用することもできる。
図４は、１つの下部掛止片Ａ２が３つの上部掛止片Ａ１ａ、Ａ１ｂ、Ａ１ｃと対向するように配設した容器保持具Ａの平面図で、例えば上部掛止片Ａ１ａは下部掛止片Ａ２と対を成し２勺の、上部掛止片Ａ１ｂは下部掛止片Ａ２と対を成し５勺の、上部掛止片Ａ１ｃは下部掛止片Ａ２と対を成し８勺の、標準的な寸法の利き猪口をそれぞれ咬持することができるものである。
このとき、例えば上部掛止片Ａ１ａと下部掛止片Ａ２との連結部Ａ３から延設された接続部Ａ４の一部は、上部掛止片Ａ１ｂや上部掛止片Ａ１ｃと下部掛止片Ａ２との連結部Ａ３に兼用されている。【００３９】  また、例えば１対の上下掛止片を３５０ミリリットルの飲料缶の寸法に適合する距離に対向して配設し、もう１対の上下掛止片を３勺の利き猪口の寸法に適合する距離に対向して配設すれば、１つの容器保持具で異なる飲料を楽しむことができるようになる。【００４０】  なお、図４では該接続部Ａ４に企業名を意匠Ａ７として施しており、保持部接続孔Ａ６に紐状体を貫挿し、首から胸の前に吊持して使用した場合には正面から容易に視認できるようになる。【００４１】  また、容器保持具Ａの外周形状も自由度が高く、図４は魚の輪郭を象った容器保持具の一例を示している。
【実施例２】
【００４２】  図５は、本発明における好ましい実施形態の１つを示す平面図である。
上端が開口する有底の容器Ｃの開口部辺縁Ｃ１に掛止させる上部掛止片Ａ１と、
該容器Ｂの下端に接続する底部Ｃ２に係る略高台Ｃ３に掛止させる下部掛止片Ａ２と、
該上下掛止片Ａ１及びＡ２を対向させて略一定距離で配持する１対の連結部Ａ３と、
該連結部Ａ３の上部掛止片Ａ１寄りの一部を屈曲させて狭小部として設けた接続部Ａ４とが、
全て略平面上に配設されるよう屈曲させて一体成形した１本の可撓性の針金と、
接続部Ａ４に結束した柔軟な紐状体の保持部Ａ５とから成り、
該上下掛止片Ａ１及びＡ２を其々該開口部辺縁Ｃ１及び該高台Ｃ３に掛止することによって、
該容器Ｃを該連結部Ａ３の弾性力によって咬持し、
紐状体の保持部Ａ５によって使用者の頸部や手首などから吊持させると、該容器Ｃの開口部辺縁Ｃ１が上向きとなり該容器Ｃの内容物Ｃ６を溢さず保持できることを特徴とする。
なお、一体成形しない保持部Ａ５は灰色に着色してある。【００４３】  図６は、図５に示した実施形態で、開口部辺縁の内側を塞ぐように略固定された蓋部材Ｃ４と、該蓋部材に形成された吐出口Ｃ５とを具備した容器の一例として飲料缶Ｃを容器保持具に装着する過程を示す説明図である。【００４４】  図６（ａ）は、該飲料缶Ｃの開口部辺縁Ｃ１に上部掛止片Ａ１のみ掛止した場面の斜視図であり、連結部Ａ３が撓屈しない状態では上下掛止片Ａ１及びＡ２の最短距離が該飲料缶Ｃの開口部辺縁Ｃ１と高台Ｃ３との距離より狭いため、下部掛止片Ａ２を高台Ｃ３に掛止させることができない。
なお、一体成形しない保持部Ａ５は灰色に着色してある。【００４５】  図６（ｂ）は、該連結部Ａ３を手指等で加圧して撓屈させた場面の横断面図であり、上下掛止片Ａ１及びＡ２が離開して最短距離が該飲料缶Ｃの開口部辺縁Ｃ１と高台Ｃ３との距離より広くなったため、下部掛止片Ａ２を高台Ｃ３の内側に移動させることができる。
なお、一体成形しない保持部Ａ５は灰色に着色してある。
また、横断面には現れない該連結部Ａ３及び接続部Ａ４も灰色に着色してある。【００４６】  図７は、図１に示した実施形態で、容器保持具Ａが紐状体の保持部Ａ５によって吊持された場面を表し、図７（ａ）は斜め下方からの斜視図、図７（ｂ）は横断面図である。【００４７】  該飲料缶Ｃが容器保持具Ａに咬持されて重力方向即ち図７（ｂ）の下方に掛止されている。図６（ｂ）の状態から該連結部Ａ３への加圧を除去し、該連結部Ａ３の一部または全部の弾性力により撓屈が部分的に解除されたことにより、上下掛止片Ａ１及びＡ２が接近して最短距離が該飲料缶Ｃの開口部辺縁Ｃ１と高台Ｃ３との距離より狭くなり、下部掛止片Ａ２が高台Ｃ３の内側に掛止する。
なお、一体成形しない保持部Ａ５は灰色に着色してある。
また、図７（ｂ）においては横断面には現れない該連結部Ａ３及び接続部Ａ４も灰色に着色してある。
また、図７（ｂ）において、一例として内容物Ｃ６が液体飲料であって、波線で示した内容物Ｃ６の液面が吐出口Ｃ５より下にあって横溢せず貯留されていることを示している。【００４８】  該保持部Ａ５により容器保持具Ａを吊持させると、該飲料缶Ｃに掛かる重力により該連結部Ａ３が該上下掛止片Ａ１及びＡ２をより接近させる方向に撓屈するように、該接続部Ａ４を該連結部Ａ３の、該上下掛止片Ａ１及びＡ２の間から延設してあるため、該上下掛止片Ａ１及びＡ２による該飲料缶Ｃの咬持力が増し、該飲料缶Ｃの脱落を防ぐように作用する。【００４９】  また、容器保持具Ａが容器Ｃの開口部辺縁Ｃ１より高く張り出さない構造とすれば、容器保持具Ａが容器Ｃを咬持した状態を維持しながら吐出口に口を付けて内容物を飲用することができ、使用の都度脱着する必要がない。
これは実施例２のように接続部Ａ４を下部掛止片Ａ２寄りに配設する構造の他、実施例１の構造であっても、接続部Ａ４を可撓性の素材とすれば、吐出口に口を寄せると頬で接続部Ａ４を撓屈させて飲用できることとなる。【００５０】  なお、１つの容器保持具で複数の寸法の容器を咬持可能とするため、それぞれの容器寸法に適した距離で２対以上の上下掛止片を配置することもでき、１つの掛止片が複数の掛止片と対を成すようにすることもできる。例えば１つの下部掛止片を２つの上部掛止片の各々と対向するように配設すれば、１つの容器保持具で３５０ミリリットルや５００ミリリットルの、標準的な寸法の飲料缶に適合させることができる。
【産業上の利用可能性】
【００５１】  本発明によれば、広く流通する規格品の容器に適合する容器保持具も、特定の施設や機会に提供される容器に適合する容器保持具も簡便安価に提供できるようになる上、例えば立食イベントにあっては使用者が容器を保持しながら両手で喫食することが容易となるため、料理の消費も促進するなど、産業上の利用可能性は極めて大である。
【符号の説明】
【００５２】Ａ．．．容器保持具
Ａ１．．．上部掛止片
Ａ１ａ．．．２勺の利き猪口用の上部掛止片
Ａ１ｂ．．．５勺の利き猪口用の上部掛止片
Ａ１ｃ．．．８勺の利き猪口用の上部掛止片
Ａ２．．．下部掛止片
Ａ３．．．連結部
Ａ４．．．接続部
Ａ５．．．保持部
Ａ６．．．保持部接続孔
Ａ７．．．ロゴなどの意匠
Ｂ．．．利き猪口
Ｂ１．．．開口部辺縁
Ｂ２．．．底部
Ｂ３．．．略高台
Ｃ．．．飲料缶
Ｃ１．．．開口部辺縁
Ｃ２．．．底部
Ｃ３．．．略高台
Ｃ４．．．蓋部材
Ｃ５．．．吐出口
Ｃ６．．．内容物（液面）
Ｄ１．．．胸ポケット（横断面）
【図１】
2019172365.tif 000003
【図２】
2019172365.tif 000004
【図３】
2019172365.tif 000005
【図４】
2019172365.tif 000006
【図５】
2019172365.tif 000007
【図６】
2019172365.tif 000008
【図７】
2019172365.tif 000009